(57)【特許請求の範囲】
【請求項１】
第１の電圧を出力する第１の電源と、
前記１の電圧と異なる第２の電圧を出力する第２の電源と、
前記第１の電圧を、順方向の第１の接続点に出力する第１のダイオードと、
前記第２の電圧を、順方向の前記第１の接続点に出力する第２のダイオードと、
目標出力電圧を設定し、前記目標出力電圧に対応した出力電圧設定信号を第２の接続点に出力する制御部と、
前記第１の接続点の電圧により駆動され、ＤＣ出力電圧に対応した検出信号と前記第２の接続点上の信号とを比較し、この比較結果が零となるようなパルス幅を有する制御信号を出力するスイッチング制御回路と、
前記制御信号に基づき、前記第２の電圧をスイッチングしてＡＣ電圧を出力するスイッチング手段と、
前記ＡＣ電圧をＤＣ電圧に変換して前記ＤＣ出力電圧を出力するＡＣ−ＤＣ変換手段と、
を有することを特徴とするＤＣ−ＤＣ電源装置。
【請求項２】
前記ＤＣ−ＤＣ電源装置は、更に、
前記ＤＣ出力電圧を検出してこの検出結果に対応した前記検出信号を前記スイッチング制御回路に与える出力検出手段を有することを特徴とする請求項１記載のＤＣ−ＤＣ電源装置。
【請求項３】
前記ＤＣ−ＤＣ電源装置は、更に、
前記第１の電圧を降圧して前記第２の接続点に与える降圧手段を有することを特徴とする請求項１又は２記載のＤＣ−ＤＣ電源装置。
【請求項４】
前記制御部は、前記降圧手段により降圧された電圧で駆動され、前記第１の電圧を降圧して前記第２の接続点に与える構成にし、
前記降圧手段の出力電圧を降圧して前記第２の接続点に与える抵抗素子を設け、
前記第１の電圧と前記第２の接続点との電位差は、前記第１のダイオードの順方向電圧より大きいことを特徴とする請求項３記載のＤＣ−ＤＣ電源装置。
【請求項５】
前記ＤＣ−ＤＣ電源装置は、更に、
前記降圧手段の出力電圧によりオン／オフ動作する第１のスイッチと、
前記第１のスイッチのオン／オフ動作に対応してオン／オフ動作し、前記スイッチング手段に与える前記第２の電圧の導通状態を制御する第２のスイッチと、
を有することを特徴とする請求項３又は４記載のＤＣ−ＤＣ電源装置。
【請求項６】
前記降圧手段は、前記第１の電圧を降圧して一定電圧を出力するレギュレータであること特徴とする請求項３〜５のいずれか１項に記載のＤＣ−ＤＣ電源装置。
【請求項７】
前記降圧手段は、前記第１のダイオードの順方向電圧より大きい順方向電圧を有し、前記第１の電圧を降圧して前記第２の接続点に与える第３のダイオードで構成したことを特徴とする請求項３〜５のいずれか１項に記載のＤＣ−ＤＣ電源装置。
【請求項８】
前記制御部は、リセット状態であるとき、前記スイッチング制御回路の動作をオフ状態にするよう前記出力電圧設定信号の極性を設定する構成になっていることを特徴とする請求項１〜７のいずれか１項に記載のＤＣ−ＤＣ電源装置。
【請求項９】
前記第１のダイオード又は前記第２のダイオードは、ショットキーバリアダイオードであることを特徴とする請求項１〜８のいずれか１項に記載のＤＣ−ＤＣ電源装置。
【請求項１０】
請求項１〜９のいずれか１項に記載のＤＣ−ＤＣ電源装置を有することを特徴とする画像形成装置。
【発明の詳細な説明】
【技術分野】
【０００１】
本発明は、ＤＣ―ＤＣ電源装置及びこれを用いた画像形成装置に関するものである。
【背景技術】
【０００２】
従来、画像形成装置において、モータ類を動作させるための駆動回路や静電潜像を形成するための回路等の駆動系ユニットでは、高電圧のＤＣ出力電圧を必要としている。ＤＣ−ＤＣ電源装置において、このＤＣ出力電圧を生成するために駆動系電圧源から供給される駆動電圧が用いられている。この駆動電庄は、制御系ユニットに使用する制御電圧よりも高い電圧が要求され消費電力、待機電力は非常に大きい。そのため、画像形成装置が待機しているときは、駆動電圧を電源装置でオフし、待機中の電力消費が低減されるようになっている。
【０００３】
更に、高電圧のＤＣ出力電圧で動作する駆動系ユニットは、通常、利用者の安全を確保するために、カバー開閉等の動作と連動して瞬時に停止するようになっている。すなわち、ＤＣ−ＤＣ電源装置の駆動電圧がオフされた状態では、駆動系ユニットがどのような制御信号を受信していても破損や暴走することなく安全に停止するようになっている。
【０００４】
このように、画像形成装置の制御ユニットから制御信号を受信し高電圧を供給しているＤＣ−ＤＣ電源装置の制御部は、駆動電圧がどのような電圧の状態になっても、制御ユニットから信号を受け取った場合に、瞬時に電源装置の出力電圧を制御可能でなければならない。電源装置に内蔵されており、高電圧出力を制御するスイッチング制御回路は、駆動電圧で動作しているが、電源ダウンや省電力時、或いは安全保護のためにモータ等の電源を意図的に切断した場合には、スイッチング制御回路への駆動電圧の供給も止まることになる。
【０００５】
このときは、ＤＣ出力電圧を生成する駆動電圧もオフ状態になり、同時にスイッチング制御回路の電源電庄もオフ状態になっているので安全に停止しているように見えるが、駆動系電源が休止している状態で制御部から制御信号を送信してしまうと演算増幅器（以下「ＯＰＡＭＰ」という。）等の集積回路（以下「ＩＣ」という。）で構成されるスイッチング制御回路は電源供給がない状態で制御信号を受信してしまうことになるため誤動作だけではなくＩＣを破損させる恐れがあった。
【０００６】
上述の理由より、従来技術では、例えば、特許文献１に示すように複雑なシーケンスを制御して出力を制御する方法が採られていた。即ち、特許文献１の技術は、駆動系ユニットを駆動するための高電圧源をオン／オフ制御する電源リモート信号と駆動系ユニット内のリセット回路のリセット信号との論理積を生成するＡＮＤゲートを有し、電源部の主電源を投入又は遮断したとき、駆動系ユニットのリセット信号がリセット期間中は、電源リモート信号がオンでも高電圧源を駆動するための電圧を出力せず、リセットが解除されると電源リモート信号がオンとなった際に、高電圧源を駆動するための電圧を出力するように構成されている。
【先行技術文献】
【特許文献】
【０００７】
【特許文献１】特開２００１−１６１０２９号公報
【発明の概要】
【発明が解決しようとする課題】
【０００８】
しかしながら、従来技術では、特許文献１に記載の技術のように複雑なシーケンス制御することでスイッチング制御回路を誤動作から保護する回路を採用するか、或いは、制御信号で使用する制御電圧まで駆動電圧を降圧させるレギュレータを利用してスイッチング制御回路を停止させる回路が用いられていた。前者の特許文献１の構成の場合、複雑なシーケンス制御を行うため回路が大きくなり、後者のレギュレータを使用する場合の構成は、大型のレギュレータが必要となり電源装置が大型化するという課題があった。
【０００９】
近年、大規模集積回路（ＬＳＩ）は、制御電圧が５Ｖから３．３Ｖへと低電圧化が進行している。このように制御電圧が低電圧化して行くのに対し駆動電圧は、更に大きくなる傾向にある。制御電圧が５Ｖのときよりも３．３Ｖである場合の方が、駆動電圧と制御電圧の差が大きくなるため、電圧を降圧させるための回路は、更に大型化するのでスイッチング制御回路を安全に停止させるための小型のＤＣ−ＤＣ電源装置が求められている。
【課題を解決するための手段】
【００１０】
本発明のＤＣ−ＤＣ電源装置は、第１の電圧を出力する第１の電源と、前記１の電圧と異なる第２の電圧を出力する第２の電源と、前記第１の電圧を、順方向の第１の接続点に出力する第１のダイオードと、前記第２の電圧を、順方向の前記第１の接続点に出力する第２のダイオードと、目標出力電圧を設定し、前記目標出力電圧に対応した出力電圧設定信号を第２の接続点に出力する制御部と、前記第１の接続点の電圧により駆動され、ＤＣ出力電圧に対応した検出信号と前記第２の接続点上の信号とを比較し、この比較結果が零となるようなパルス幅を有する制御信号を出力するスイッチング制御回路と、前記制御信号に基づき、前記第２の電圧をスイッチングしてＡＣ電圧を出力するスイッチング手段と、前記ＡＣ電圧をＤＣ電圧に変換して前記ＤＣ出力電圧を出力するＡＣ−ＤＣ変換手段とを有している。
更に、本発明の画像形成装置は、本発明のＤＣ−ＤＣ電源装置を有している。
【発明の効果】
【００１１】
本発明のＤＣ−ＤＣ電源装置及び画像形成装置によれば、次の（１）〜（３）のような効果がある。
【００１２】
（１）  複雑なシーケンス制御を必要としないでスイッチング制御回路を安全に停止させることが可能となる。
【００１３】
（２）  駆動電圧から制御電圧へ降圧させて信号源電圧を生成する大型のレギュレータが不要になる。
【００１４】
（３）  制御系電源ダワンに対して、スイッチング制御回路を安全に停止させることが可能となる。
【図面の簡単な説明】
【００１５】
【図１】図１は本発明の実施例１における図４のＤＣ−ＤＣ電源装置の要部を示す回路図である。
【図２】図２は本発明の実施例１における画像形成装置の概略を示す断面図である。
【図３】図３は図２中の画像形成部の概略を示す断面図である。
【図４】図４は図３の画像形成部のＤＣ−ＤＣ電源装置の構成を示すブロック図である。
【図５】図５は図１のＤＣ−ＤＣ電源装置の動作を示すタイムチャートである。
【図６】図６は比較例のＤＣ−ＤＣ電源装置を示す回路図である。
【図７】図７は図１のＤＣ−ＤＣ電源装置の変形例を示す回路図である。
【図８】図８は本発明の実施例２のＤＣ−ＤＣ電源装置を示す回路図である。
【図９】図９は図８のＤＣ−ＤＣ電源装置の変形例を示す回路図である。
【発明を実施するための形態】
【００１６】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１７】
（実施例１の画像形成装置）
図２は、本発明の実施例１における画像形成装置の概略を示す断面図である。
【００１８】
一般的に、画像形成装置、例えば、カラー電子写真プリンタには、４色のブラック（Ｋ色）用画像形成部１０Ｋ、シアン（Ｃ色）用画像形成部１０Ｃ、マゼンダ（Ｍ色）用画像形成部１０Ｍ、及びイエロー（Ｙ色）用画像形成部１０Ｙが印刷媒体２１の搬送される方向に対し挿入側から排出側へ順に並べられ配置されている。画像形成部１０Ｋ，１０Ｃ，１０Ｍ，１０Ｙの下方には転写ベルト２５が駆動ローラ２３及び２４により回転可能に配置されている。転写ベルト２５の内部には各画像形成部１０Ｋ，１０Ｃ，１０Ｍ，１０Ｙに対向する位置に、転写ローラ２６Ｋ，２６，２６Ｍ，２６Ｙが配置され、印刷媒体２１を保持して搬送すると同時に画像形成部１０Ｋ，１０Ｃ，１０Ｍ，１０Ｙで形成されたトナー像を印刷媒体２１へ転写する。
【００１９】
更に、転写ベルト２５の下方にはカセットトレイ２０が装着されており、カセットトレイ２０には印刷媒体２１が収容され、ホッピングローラ２２により印刷媒体２１が１枚ずつ繰出されるようになっている。画像形成部１０Ｋ，１０Ｃ，１０Ｍ，１０Ｙにおいて、印刷媒体２１の搬送される方向に対し排出側には、定着器２７が設けられている。定着器２７は、印刷媒体２１上に転写されたトナー像を印刷媒体２１に定着させるもので、加熱ローラ２７ａと圧接ローラ２７ｂとを有している。
【００２０】
図３は、図２中の画像形成部の概略を示す断面図である。
画像形成部１０Ｋ，１０Ｃ，１０Ｍ，１０Ｙは、同一の構成であるので、以後、特に区別する必要のないときは、画像形成部１０Ｋ，１０Ｃ，１０Ｍ，１０Ｙのいずれか１つの意味で単に画像形成部１０と記述する。
【００２１】
画像形成部２０は、アルミニウム等からなる導電性基層と有機感光体からなる表層により構成された感光体１１と、導電性の金属シャフトにエピクロルヒドリンゴム等の半導電性のゴムをロール状に形成した帯電ローラ１２，導電性の金属シャフトにシリコーン等の半導電性ゴムを形成した現像ローラ１３，導電性の金属シャフトにトナーの搬送性を向上させるためゴム混練時に発泡剤を添加し形成された供給ローラ１４，トナーを蓄え供給ローラ１４上にトナーを供給するトナーカートリッジ１５、画像形成部ｌ０の内部のトナー残量を検出するトナー残量検出手段１６、現像ローラ１３にトナー薄層を均一規制するための現像ブレード１７，制御部４２から信号を受信し、感光体１１上に静電潜像を形成する露光器１８、及びクリーニング装置１９で構成されている。
【００２２】
帯電ローラ１２、感光体１１、トナーを薄層形成する現像ブレード１７、転写残現像剤のクリーニング装置１９、トナー残量検出手段１６は、感光体１１の軸方向から左右に配置され、側面から支持する図示しないサイドカバーフレーム部材に支持されており、サイドカバーフレーム部材には、現像ローラ１３、供給ローラ１４、帯電ローラ１２へ電力を供給するためのバイアス入力端子が備えられている。
【００２３】
帯電ローラ１２、現像ローラ１３、クリーニング装置１９は、感光体１１に接触して配置されており、現像ローラ１３には、現像ブレード１７と供給ローラ１４とが接触して配置されている。現像ローラ１３と供給ローラ１４とは、同方向（図では反時計回り）に図示しない回転駆動部材によって回転駆動できるように構成されている。
【００２４】
次に図２の画像形成装置及び図３の画像形成部の動作を説明する。
現像ローラ１３、供給ローラ１４、帯電ローラ１２へ所定のバイアスを印加することで現像剤であるトナーが、トナーカートリッジ１５、供給ローラ１４、現像ローラ１３、帯電ローラ１２によって帯電させられた後に、露光器１８によって静電潜像を作画された感光体１１の領域へトナーが静電気的な力によって移動しトナー像が形成される。
【００２５】
転写ローラ２６からバイアス（ＤＣ出力電圧）を感光体１１へ向けて印加し、トナー像を印刷媒体２１上へ転写する。ＤＣ−ＤＣ電源装置の高圧電源５０が出力するバイアス（ＤＣ出力電圧）は、画像形成部１０の内部に備えられたトナー残量検出手段１６によって検出されたトナー残留情報と、制御部４２で蓄積された情報又は画像形成部１０の内部に備えられたメモリ一等が保持する画像形成部１０の寿命情報と、図示されない画像形成部１０の設置されている環境条件検出手段によって検出された環境条件等によって制御部４２で決定される。
【００２６】
（実施例１のＤＣ−ＤＣ電源部の構成）
図４は、図３の画像形成部のＤＣ−ＤＣ電源装置の構成を示すブロック図である。
【００２７】
画像形成装置は、ＤＣ-ＤＣ電源装置を有しており、ＤＣ−ＤＣ電源装置は、高圧電源５０、低圧電源４１及び制御部４２を備えている。高圧電源５０は、駆動ユニットを統括して制御する制御部４２へ接続され各画像形成部１０Ｋ，１０Ｃ，１０Ｍ，１０Ｙ及び各転写ローラ２６Ｋ，２６Ｃ，２６Ｍ，２６Ｙに対し、各々独立に高圧電力を供給するよう構成されており、各トナーの色及び画像形成部１０の装着位置に応じたバイアス（ＤＣ出力電圧）を印加できるよう配置されている。
【００２８】
低圧電源４１は、商用電源より電力供給を受け、定着器２７内の熱源、即ち、加熱ローラ２７ａ内のハロゲンランプに電力を供給する。更に、高圧電源５０と、画像形成部１０Ｋ，１０Ｃ，１０Ｍ，１０Ｙ、駆動ローラ２３，２４、及びホッピングローラ２２等を駆動させるための図示しないモータと、各ユニットの制御に必要な図示しないセンサ等とへ制御部４２を介して所定の電力を供給するように構成されている。
【００２９】
高庄電源５０は、色毎の画像形成部１０の図示しないバイアス入力端子に対応した現像電圧出力端子Ｐ１、供給電圧出力端子Ｐ２、帯電電圧出力端子Ｐ３を備え、画像形成部１０を接続している。又、高圧電源５０は、各色の転写電圧出力端子Ｐ４（＝Ｐ４Ｋ，Ｐ４Ｃ，Ｐ４Ｍ，Ｐ４Ｙ）を備え、各転写ローラ２６と接続している。前記出力端子Ｐの前段には、画像形成部１０へ供給が必要な出力電圧や出力電流の出力容量に応じて昇圧トランス５１が備えられ、昇圧トランス５１から所定のＤＣ出力電圧を得るためのスイッチング制御回路５２を備えている。スイッチング、制御回路５２は、制御部４２の指示信号によって所定の出力端子Ｐへ所定の出力電圧を出力するよう動作するように構成されている。
【００３０】
制御部４２で設定されるＤＣ出力電圧は、以下の通りである。例えば、現像剤に負帯電トナーを用いる画像形成部１０の場合、一般的な環境下では帯電ローラ１２へ印加されるＤＣ出力電圧は、−１０００Ｖ程度、現像ローラ１３へ印加されるＤＣ出力電圧は、−２００Ｖ程度、供給ローラ１４へ印加されるＤＣ出力電圧は、３００Ｖ程度が必要であり、印刷媒体２１である用紙にトナー像を転写する転写ローラ２６に至つては、印刷媒体２１の特性によって必要とされる電圧が大きく異なり、ＤＣ出力電圧として＋１０００Ｖ程度から＋５０００Ｖ程度の広い電圧範囲で高電圧を要求される。
【００３１】
又、最小限のスイッチング回路５２と昇圧トランス５１とで構成するため、高電圧の電源電圧を生成するスイッチング回路５２、及び昇圧トランス５１と、出力調節回路５３とを備え、その高電圧用のスイッチング回路５２及び昇圧トランス５１から出力調節回路５３へ電圧を供給し、制御部４２の制御信号によって出力調節回路５３を動作させて電圧を調節し、出力するように構成されている。
【００３２】
例えば、供給ローラ１４へ入力される電圧−３００Ｖを出力調節回路５３によりツェナーダイオード等で降圧させ、現像ローラ１３へ入力される電圧２００Ｖを生成することでスイッチング回路５２と昇圧トランス５１とを共通化するように構成している。
【００３３】
低圧電源４１から高圧電源５０へは、駆動系電源２４Ｖから駆動電圧２４Ｖと、制御系電源５Ｖから制御電圧５Ｖが供給されている。極力高い電圧源からの電力供給によって昇圧倍率を低く抑えたほうが効率的であるため、低圧電源４１から供給される電圧で最も高い駆動系電源である電圧２４Ｖを使用し、画像形成部１０に対して印加される各バイアス（ＤＣ出力電圧）を生成するのが一般的である。
【００３４】
図１は、本発明の実施例１における図４のＤＣ−ＤＣ電源装置の要部を示す回路図である。
【００３５】
図１では、代表して図４の中の転写電圧出力端子Ｐ４Ｋに出力されるＤＣ出力電圧を生成する回路を例にとって詳細に説明する。
【００３６】
すでに、図４の説明で述べたように、ＤＣ−ＤＣ電源装置は、高圧電源５０、低圧電源４１及び制御部４２を備えている。低電圧電源４１は、第１の電圧（例えば、制御電圧）５Ｖを出力する第１の電源（例えば、制御系電源）５Ｖと、第２の電圧（例えば、駆動電圧）２４Ｖを出力する第２の電源（例えば、駆動系電源）２４Ｖとを有している。
【００３７】
低圧電源４１の制御系電源５Ｖは、抵抗素子やツェナーダイオードで構成され電圧を降下させて定電圧を出力する降圧手段（例えば、レギュレータ）４３に接続され、レギュレータ４３の出力側は、ＤＣ出力電圧の大きさを設定する制御部４２に接続されている。制御部４２は、第２の接続点（例えば、信号入力端子）Ｎ２を介してスイッチング制御回路５２に接続されている。制御部４２は、目標出力電圧を設定し、目標電圧に対応した出力電圧設定信号を信号入力端子Ｎ２に与える。
【００３８】
制御系電源５Ｖは、更に高圧電源５０内のレギュレータ５４と、制御電圧５Ｖを順方向の第１の接続点（例えば、電源入力端子）Ｎ１に出力する第１のダイオード（例えば、停止用ダイオード）５５のアノードとに接続されている。停止用ダイオード５５のカソードは、電源入力端子Ｎ１を介してスイッチング制御回路５２に接続されている。
【００３９】
レギュレータ５４の出力側には、レギュレータ５４の出力電圧を降下して信号入力端子Ｎ２に与えるプルアップ抵抗５７が接続されている。更に、レギュレータ５４の出力側は、プルアップ抵抗５８を介してスイッチング制御回路５２とＤＣ出力電圧を分圧して検出する出力検出手段６２に接続されている。
【００４０】
駆動系電源２４Ｖは、駆動電圧２４Ｖを順方向の電源入力端子Ｎ１に出力する第２のダイオード（駆動用ダイオード）５６のアノードに接続されている。駆動系電源２４Ｖは、更に、スイッチング制御回路５２からの制御信号に基づき、駆動電圧２４ＶをスイッチングしてＡＣ電圧を出力するスイッチング手段に接続されている。スイッチング手段は、駆動電圧２４ＶをスイッチングしてＤＣ−ＡＣ変換を行うトランジスタで構成されたスイッチング素子５９と、入力されたＡＣ電圧を昇圧する昇圧トランス５１とを有している。昇圧トランス５１の２次側には、昇圧されたＡＣ電圧をＤＣ電圧に変換するＡＣ−ＤＣ変換手段が接続されている。ＡＣ−ＤＣ変換手段は、整流手段である整流ダイオード６０と平滑用のコンデンサ６１とを有している。ＡＣ−ＤＣ変換手段により整流され、平滑化されたＤＣ出力電圧は、出力端子Ｐ４Ｋから転写ローラ２６に出力される。
【００４１】
出力端子Ｐ４Ｋには、出力端子Ｐ４ＫのＤＣ出力電圧を、数１００分の１程度に分圧した検出信号をスイッチング制御回路５２へフィードバックする出力検出部６２が接続されている。この検出信号は、スイッチング制御回路５２において、制御部４２からの電圧設定信号と比較され、スイッチング制御回路５２の出力する制御信号を調整する働きを有している。
【００４２】
なお、停止用ダイオード５５の順方向電圧によって発生する電位差とスイッチング制御回路５２に内蔵されるＯＰＡＭＰの同相入力範囲を考慮し、スイッチング制御回路５２に入力される信号電圧は、制御系電源５Ｖよりも低く設定しなければならない。そのため、制御電圧５Ｖよりも低電圧で、制御部４２で利用されている３．３Ｖを制御部４２とスイッチング制御回路５２との通信信号の基準電圧として得るために、制御系電源５Ｖから３．３Ｖへ降圧するレギュレータ５４を備え、レギュレータ５４の出力電圧を抵抗素子（例えば、プルアップ抵抗）５７でスイッチング制御回路５２の信号入力端子Ｎ２へ接続することによって信号電圧を決定している。
【００４３】
更に、停止用ダイオード５５は、極力順方向電圧の低いダイオードを使用した方がスイッチング制御回路５２の電源電圧を高く維持できるためショットキーバリアダイオード等の順方向電圧の低い素子を用いている。この場合、降圧電圧差が小さくできるためレギュレータ５４の構成を小型化できる。
【００４４】
レギュレータ５４の出力側に接続されるプルアップ抵抗５８は、出力検出部６２とスイッチング制御回路５２へ接続され、制御部４２からの信号電圧との誤差が少なくなるように備えられている。
【００４５】
（実施例１のＤＣ−ＤＣ電源装置の全体の動作）
図４を用いて、ＤＣ−ＤＣ電源装置の全体の動作を説明する。
【００４６】
低圧電源４１は、商用電源より電力供給を受け、図示しない主電源に電源が投入されると、ＤＣ−ＤＣ電源装置の低圧電源４１に電源が供給され、低電圧電源４１は、制御系電源５Ｖから制御電圧５Ｖを出力し、制御部４２及び高圧電源５０へ供給する。定電圧源４１の駆動系電源２４Ｖからは、高圧電源５０内のスイッチング制御回路５２及び昇圧トランス５１に駆動電圧２４Ｖを供給する。
【００４７】
高圧電源５０内の各スイッチング回路５２は、駆動ユニットを統括して制御する制御部４２へ接続され、制御部４２の指示で、昇圧トランス５１を制御して高電圧のＤＣ出力電圧を生成して各画像形成部１０Ｋ，１０Ｃ，１０Ｍ，１０Ｙ及び各転写ローラ２６Ｋ，２６Ｃ，２６Ｍ，２６Ｙに対し、各々独立にＤＣ出力電圧を供給する。
【００４８】
（実施例１のＤＣ−ＤＣ電源装置の要部の動作）
図５は、図１のＤＣ−ＤＣ電源装置の動作を示すタイムチャートである。
【００４９】
（区間ａ：通常動作時）
低圧電源４１から駆動電圧２４Ｖと制御電圧５Ｖが高圧電源５０へ供給されている場合である。スイッチング制御回路５２の電源電圧（図１、図５のＳ２）は、駆動用ダイオード５６を介して駆動電圧２４Ｖ（図１、図５のＳ１）が供給され、且つ停止用ダイオード５５を介して制御電圧５Ｖ（図１、図５のＳ４）が供給されているのでほぼ駆動電圧２４Ｖとなる。そのため、制御系電源５Ｖから生成される３．３Ｖの電圧で動作している制御部４２から指示される出力電圧設定信号の電圧に対して、スイッチング制御回路５２の電源電圧（＝電源入力端子Ｎ１の電圧）は十分に大きいので出力検出部６２で検出した電圧をフィードバックしてスイッチング素子５９の動作を適切な状態に維持することが可能である。
【００５０】
そのため昇圧トランス５１は、所定の動作を行い整流素子である整流ダイオード６０によってＡＣ電圧がＤＣ電圧に変換され、所定のＤＣ出力電圧を転写ローラ２６へ出力することが可能となる。同様に、制御部４２から出力電圧設定信号（図１、図５のＳ３）がオフ出力されても応答は可能であり、スイッチング素子５９を瞬時にオフ動作させることができるためＤＣ出力電圧を安全にオフ状態にすることが可能である。
【００５１】
（区間ｂ：安全保護動作時および省電力時）
低圧電源４１から制御電圧５Ｖが高圧電源５０へ供給されているが、駆動系電源２４Ｖがオフ状態になった場合である。スイッチング制御回路５２の電源入力端子Ｎ１は、駆動用ダイオード５６を介して駆動系電源２４Ｖに接続されているが、駆動系電源２４Ｖがオフ状態になると、停止用ダイオード５５を介してスイッチング制御回路５２の電源入力端子Ｎ１に制御電圧５Ｖ（図１、図５のＳ４）が供給されているので、制御電圧５Ｖから停止用ダイオード５５の順方向電圧約０．７Ｖを差し引いた電圧４．３Ｖ（図１、図５のＳ２）が電源入力端子Ｎ１に供給される。
【００５２】
制御部４２から指示される出力電圧設定信号は、レギュレータ５４により制御系電源５Ｖから生成され３．３Ｖが接続されたプルアップ抵抗５７によって電圧が決定されるため、スイッチング制御回路５２の電源電圧（５Ｖ−０．７Ｖ＝４．３Ｖ）よりも低い電圧の信号によって、スイッチング制御回路５２へオフ動作を指示し、スイッチング素子５９を停止させることができる。その結果、昇圧トランス５１は、所定の動作を行い、整流ダイオード６０に接続される転写電圧出力端子Ｐ４Ｋの電圧はオフ状態となりそれを維持する。
【００５３】
更に、安全保護動作時や省電力モードへの移行時に、過渡的に駆動電圧２４Ｖ（図１、図５のＳ１）が垂下状態になっても、スイッチング制御回路５２の電源入力端子Ｎ１の電圧は、制御電圧５Ｖ付近よりも下がることはないので、制御部４２が出力するレギュレータ５４で決定される出力電圧設定信号の電圧よりも十分に高い。このため、制御部４２からスイッチング制御回路５２にどのような出力電圧設定信号が入力されてもスイッチング制御回路５２を誤動作或いは破損させることはない。
【００５４】
一般の電子写真プリンタでの安全保護動作時であれば、カバー開閉スイッチ等の情報を瞬時に制御部４２が検出可能である場合が一般的である。又、省電力モードへの移行は制御部４２が一定時間待機状態を維持したかを判定して決定するので、駆動電圧２４Ｖが垂下を始めた初期段階で、制御部４２は、スイッチング制御回路５２へ出力電圧設定信号をオフ指示に設定して送信することが可能である。
【００５５】
そのため、安全保護動作時および省電力時においては、本実施例１のスイッチング制御回路５２は、出力電圧設定信号を受信可能な状態であり、制御部４２から出力される出力電圧設定信号の指示によってスイッチング制御回路５２が応答可能な状態を維持しているためスイッチング制御回路５２が制御部４２からの指示信号を受信できずに不安定となることはない。更に、この場合、昇圧トランス５１の１次側へ入力される電圧が徐々に垂下するために発生するＤＣ出力電圧オフが発生する以前に、駆動電圧２４Ｖの垂下の初期段階で制御部４２は、スイッチング制御回路５２へ出力電圧設定信号としてオフ指示を送信することが可能である。このためＤＣ出力電庄のオフ動作は、高速であり無駄な電力消費も低減させることが可能である。
【００５６】
（区間ｃ：安全保護動作時及び省電力時からの復帰時）
低圧電源４１から制御電圧５Ｖ（図１、図５のＳ４）が高圧電源５０へ供給されており、駆動電圧２４Ｖ（図１、図５のＳ１）がオフ状態からオン状態になる場合である。駆動用ダイオード５６を介してスイッチング制御回路５２の電源入力端子Ｎ１は、駆動系電源２４Ｖに接続されている。駆動電圧２４Ｖがオフ状態から電庄上昇中の過渡状態で、あっても、停止用ダイオード５５からスイッチング制御回路５２の電源入力端子Ｎ１に制御電圧５Ｖが供給され、制御電圧５Ｖから停止用ダイオード５５の順方向電圧約０．７Ｖを差し引いた電圧４．３Ｖが電源入力端子Ｎ１に供給されている。その結果、スイッチング制御回路５２の電源入力端子Ｎ１の電圧は、４．３Ｖ以下へ下がることはなく、順次、駆動電圧２４Ｖまで上昇してゆき区間ａの状態へ到達する。
【００５７】
（区間ｄ：画像形成装置の主電源スイッチのオン、オフ時）
画像形成装置の主電源スイッチをオンする場合、制御部４２は、レギュレータ４３から生成される電圧が動作可能な電圧に到達するまでリセット状態を維持する。制御部４２が、リセット状態ではスイッチング制御回路５２は、オフするよう出力電圧設定信号の極性が設定されている。
【００５８】
レギュレータ４３から生成される電圧が動作可能な電圧に到達するまで、停止用ダイオード５５からスイッチング制御回路５２の電源入力端子Ｎ１に制御電圧５Ｖが供給され、更に駆動電圧２４Ｖが制御電圧５Ｖ以上になれば、更に高い電圧がスイッチング制御回路５２の電源入力端子Ｎ１に供給される。そのため、制御部４２のリセット状態でスイッチング制御回路５２がオフ状態であるように信号を維持することが可能であり区間ａへ到達する。
【００５９】
画像形成装置の主電源がオフされて、駆動系電源２４Ｖがオフされる場合であっても、制御部４２のリセット状態で出力電圧設定信号の極性が確定しているため、駆動電圧２４Ｖが垂下の過渡的な状態であっても昇圧トランス５１の１次側へ入力される電圧が徐々に垂下するために発生するＤＣ出力電圧オフが発生する前に、駆動電圧２４Ｖの垂下の初期段階で制御部４２は、スイッチング制御回路５２へオフ信号を送信することが可能である。そのためＤＣ出力電圧は、スイッチング制御回路５２によってオフされるため、無駄な電力消費を低減させることが可能である。
【００６０】
（実施例１の効果）
（１）  比較例と対比した本実施例１のＤＣ−ＤＣ電源装置の効果
図６は、比較例のＤＣ−ＤＣ電源装置を示す回路図であり、実施例１を示す図１中の要素と共通の要素には共通の符号が付されている。
【００６１】
特許文献１に記載の技術は、制御回路が複雑な構造になるため次のような回路を構成するのが一般的である。
【００６２】
比較例のＤＣ−ＤＣ電源装置は、主にモータ等の駆動のために使用される駆動電圧２４Ｖ及び制御部４２で使用される制御電圧５Ｖを供給する低圧電源４１と、駆動電圧２４Ｖを高電圧に変換して出力するするスイッチング電源回路である高圧電源５０とから構成されている。
【００６３】
更に、高圧電源５０は、画像形成部１０が接続される出力端子Ｐ４Ｋと、駆動電圧２４Ｖから昇圧トランス５１で昇圧するためにＡＣ電力へ変換するためのトランジスタであるスイッチング素子５９と、制御部４２からの信号を受信し制御部４２が指示するＤＣ出力電圧を出力端子Ｐ４Ｋから出力するようスイッチング素子５９を所定の動作となるよう制御するスイッチング制御回路５２と、昇圧トランス５１の出力として得られたＡＣ電圧をＤＣ電圧へ整流する整流ダイオード６０と、出力端子Ｐ４Ｋが出力しているＤＣ出力電圧を１／数１００程度に分圧し、出力電圧を前記スイッチング制御回路５２へフィードバックする出力検出部６２とを有している。
【００６４】
スイッチング制御回路５２は、駆動電圧２４Ｖを電源として供給され、制御部４２からの出力電圧設定信号を受信し、その信号に対応した所定の制御信号をスイッチング素子５９へ出力することによって昇圧トランス５１を動作さる機能を有している。昇圧トランス５１の出力として得られたＡＣ電圧は、整流ダイオード６０によって、ＤＣ電圧へ整流されて画像形成部が接続されている出力端子Ｐ４Ｋへ高電圧を出力する。
【００６５】
更に、駆動系電源２４Ｖの出力側には、２４Ｖの駆動電圧２４Ｖを制御部４２と同電位の５Ｖに変換するレギュレータ５４Ａが接続され、レギュレータ５４Ａの出力側とスイッチング回路５２の信号入力端子Ｎ２とは、プルアップ抵抗５７を介して接続されている。制御部４２とスイッチング回路５２の信号入力端子Ｎ２とは、制御信号の送受信のために接続されている。
【００６６】
駆動系電源２４Ｖと、レギュレータ５４Ａと、スイッチング回路５２と、プルアップ抵抗５７と、制御部４２とをこのように構成することにより、制御部４２とスイッチング制御回路５２との信号に使用する基準電圧をプルアップ抵抗５７を介して設定する。このことにより、駆動系電源２４Ｖがオフ状態の場合には、信号電圧が必ずオフ状態になるようなっているので、駆動電圧２４Ｖの変化に対し瞬間的に応答していた。
【００６７】
以上のように、比較例では、レギュレータ５４Ａを駆動系電源２４Ｖに接続し、２４Ｖから５Ｖへ降圧させていたが、本実施例１では、レギュレータ５４を制御系電源５Ｖに接続し、５Ｖから３．３Ｖに降圧させるように構成した。その結果、駆動系電源２４Ｖから制御系電源５Ｖへ降圧させて信号源電圧を生成するための大型のレギュレータが不要になり、回路の小型化及び省電力の効果がある。
【００６８】
更に、特許文献１記載の技術との比較においては、実施例１のＤＣ−ＤＣ電源装置は、特許文献１のような複雑なシーケンス制御を必要としないで、スイッチング制御回路５２を安全に停止又は動作させることが可能である。
【００６９】
（２）  実施例１の画像形成装置の効果
実施例１のＤＣ−ＤＣ電源装置を用いた画像形成装置は、装置の小型化、小電力化、及び発熱防止等の効果がある。
【００７０】
（実施例１の変形例）
図７は、図１のＤＣ−ＤＣ電源装置の変形例を示す回路図であり、実施例１を示す図１中の要素と共通の要素には共通の符号が付されている。
【００７１】
図１で示した本実施例１のＤＣ−ＤＣ電源装置は、制御部４２が３．３Ｖで動作する場合を記載したが、低圧電源４１から供給される制御電圧５Ｖで動作する制御部４２である場合には、レギュレー５６は、図６に示すように不要となる。本変形例では、図１のレギュレータ５４の代わりとして停止用ダイオード５５と同様、或いは、それ以上の順方向電圧を持つ信号源電圧用ダイオード６３を備えている。
【００７２】
よって、制御部４２より指示される出力電圧設定信号は制御系電源５Ｖから信号源電圧用ダイオード６３の順方向電圧分低い電圧が接続されたプルアップ抵抗５７によって電圧が決定される。このため、停止用ダイオード５５の順方向電圧によって降圧したスイッチング制御回路５２の電源電圧よりも更に低い電圧の信号によって制御されることになり、スイッチング素子５９を安全に停止させることが可能となり図１記載のＤＣ−ＤＣ電源装置と同様な効果が得られる。
【実施例２】
【００７３】
（実施例２の構成）
図８は、本発明の実施例２のＤＣ−ＤＣ電源装置を示す回路図であり、実施例１を示す図１中の要素と共通の要素には共通の符号が付されている。
【００７４】
実施例１の構成では、低圧電源４１の制御系電源５Ｖ、或いはレギュレータ５４が故障してしまうと出力設定制御信号が不定状態になる可能性がある。実施例２では、レギュレータ５４の出力電圧オフを検出し、オフ状態であれば駆動系電源電圧２４Ｖを遮断し、昇圧トランス５１への電力を遮断するスイッチ６５を内蔵することを特徴とする。
【００７５】
実施例２の構成は、実施例１の構成とほぼ同様である。実施例１の構成に対し、次の要素が追加されている。
【００７６】
実施例２のＤＣ−ＤＣ電源装置は、レギュレータ５４の出力側に接続され、レギュレータ５４の出力電圧によりオン／オフ動作する第１のスイッチ（例えば、ＮＰＮトランジスタ）６４と、駆動系電源２４Ｖと駆動用ダイオード５６のアノード端子との間に接続され、ＮＰＮトランジスタ６４のオン／オフ動作に対応してオン／オフ動作し、駆動電圧２４Ｖを導通し、又は遮断する第２のスイッチ（例えば、ＰＮＰトランジスタ）６５とを有している。
【００７７】
更に、ＮＰＮトランジスタ６４は、エミッタ接地され、そのベース端子は、ベース電流を所定の電流に制限する電流制限抵抗６６を介してレギュレータ５４の出力側に接続され、そのコレクタ端子は、ＰＮＰトランジスタ６５のベース電流を所定の電流に制限する電流制限抵抗６７を介してＰＮＰトランジスタ６５のベース端子に接続されている。
【００７８】
（実施例２の動作）
本実施例２の動作は、実施例１の動作とほぼ同様であり、構成の相違点を中心に、図５を用いて説明する。
【００７９】
（区間ａ：通常動作時）
低圧電源４１から駆動系電源２４Ｖと制御系電源５Ｖが高圧電源５０へ供給されている場合である。制御系電源５Ｖがレギュレータ５４へ電力を供給しているため、レギュレータ５４の出力によってＮＰＮトランジスタ６４は、オン状態となり、同時にＰＮＰトランジスタ６５がオン状態となる。
【００８０】
そのため、駆動系電源２４Ｖは、スイッチング制御回路５２と昇圧トランス５１へ電力を供給可能となり、実施例１と同様に動作して制御部４２から出力電主設定信号がオフ出力されても応答は可能となる。したがって、スイッチング素子５９を瞬時にオフさせることができるためＤＣ出力電圧を安全にオフ状態にすることが可能である。
【００８１】
区間ａで、低圧電源４１から駆動電圧２４Ｖが供給されているが、制御電圧５Ｖが高庄電源５０へ供給されなくなった場合は、次のようになる。制御系電源５Ｖに接続されている停止用ダイオード５５、レギュレータ５４、レギュレータ４３への電力供給も遮断される。その結果、電源入力のない制御部４２からの出力電圧設定信号は不定となるが、プルアップ抵抗５７で接続されているレギュレータ５４の出力もオフ状態のため、レギュレータ５４の出力電圧は、０Ｖとなり、スイッチング制御回路５２の信号用の信号入力端子Ｎ２の電圧も０Ｖに固定される。
【００８２】
レギュレータ５４の出力が０Ｖのため、ＮＰＮトランジスタ６４は、オフ状態となり、同時にＰＮＰトランジスタ６５もオフ状態になるため、昇圧トランス５１とスイッチング制御回路５２へは駆動電源２４Ｖが供給されなくなる。よって、制御部４２から出力電圧設定信号がどのような状態で出力されても、昇圧トランス５１には、電力が供給されないためＤＣ出力電圧を安全にオフすることが可能である。
【００８３】
（区間ｂ：安全保護動作時および省電力時）
低圧電源４１から制御電圧５Ｖが高圧電源５０へ供給されているが、駆動電圧２４Ｖがオフした場合である。制御系電源５Ｖが、レギュレータ５４へ電力を供給しているため、レギュレータ５４の出力によってＮＰＮトランジスタ６４は、オン状態となり、同時にＰＮＰトランジスタ６５がオンする。しかし、駆動電圧２４Ｖは、供給されていないためスイッチング制御回路５２と昇圧トランス５１へ電力は供給されない。よって、実施例１と同様に動作し、制御部４２から出力電圧設定信号がオフ出力されても応答は可能であり、更に、もともと昇圧トランス５１に駆動電圧２４Ｖの供給はないためＤＣ出力電圧は、安全にオフを維持する。
【００８４】
更に、実施例１と同様に、駆動用ダイオード５６で、スイッチング制御回路５２の電源入力端子Ｎ１は、駆動系電源２４Ｖに接続されているがオフされるため、停止用ダイオード５５からスイッチング制御回路５２の電源入力端子Ｎ１に制御電圧５Ｖが供給される。
【００８５】
区間ｂで低圧電源４１から制御電源５Ｖが高圧電源５０へ供給されなくなった場合は、駆動系電源２４Ｖも制御系電源５Ｖもオフ状態のため、昇圧トランス５１は、所定の動作を行い整流ダイオード６０に接続される転写電圧出カ端子Ｐ４Ｋの電圧はオフ状態を維持する。
【００８６】
安全保護動作時や省電力モードへの移行時に駆動電圧２４Ｖの垂下状態が過渡的に発生した場合であっても、制御系電源５Ｖは、オフ状態のためレギュレータ５４の出力はオフ状態になる。そのため、レギュレータ５４の出力は０Ｖであり、ＮＰＮトランジスタ６４は、オフ状態となって、同時にＰＮＰトランジスタ６５もオフ状態となる。その結果、昇圧トランス５１に駆動電圧２４Ｖの供給がないためＤＣ出力電圧は安全にオフを維持する。
【００８７】
更に、制御部４２が出力する出力電圧設定信号がどのような状態であっても、レギュレータ５４で決定される信号電圧は０Ｖであり、制御部４２、スイッチング制御回路５２、スイッチング素子５９、昇圧トランス５１の何れにも電力供給がないためスイッチング制御回路５２を誤動作あるいは破損させることはなくＤＣ出力電圧は、安全にオフを維持する。
【００８８】
（区間ｃ：安全保護動作時および省電力時からの復帰時）
低圧電源４１から制御電源５Ｖが高圧電源５０へ供給され、駆動系電源２４Ｖがオンする場合である。駆動電圧２４Ｖが電圧上昇中の過渡状態であっても、停止用ダイオード５５からスイッチング制御回路５２の電源入力端子Ｎ１に、制御電圧５Ｖから停止用ダイオード５５の順方向電圧約０．７Ｖを差し引いた電圧４．３Ｖが供給される。
【００８９】
このとき、レギュレータ５４の出力電圧の出力開始と同時にＮＰＮトランジスタ６４はオン状態となり、同時にＰＮＰトランジスタ６５がオン状態になる。そのため、スイッチング制御回路５２の電源入力端子Ｎ１の電圧は、駆動系電圧２４Ｖまで上昇し、実施例１と同様に区間ａの状態へ到達する。
【００９０】
更に、制御部４２から指示される出力電圧設定信号は、レギュレータ５４で制御電圧５Ｖから生成された電圧が与えられたプルアップ抵抗５７によって電圧が決定されるため、スイッチング制御回路５２の電源電圧が駆動電圧２４Ｖよりも低い過渡状態であっても制御系電源５Ｖと停止用ダイオード５５とで生成される電源電圧（５Ｖ−０．７Ｖ＝４．３Ｖ）よりも低い電圧の信号によってスイッチング制御回路５２へオフ指示を出力し、スイッチング素子５９の停止を維持させることが可能である。
【００９１】
（区間ｄ：画像形成装置の主電源のオン／オフ時）
画像形成装置の主電源スイッチをオンする場合、制御部４２は、レギュレータ５４から生成された電圧が動作可能な電圧に到達するまでリセット状態を維持する。制御部４２がリセット状態では、スイッチング制御回路５２は、オフ状態になるよう出力電圧設定信号の極性が設定されている。
【００９２】
そのため、制御部４２は、制御電圧５Ｖが動作可能な電圧となるまで停止用ダイオード５５からスイッチング制御回路５２の電源入力端子Ｎ１へ制御電圧５Ｖが供給され、更に、駆動電圧２４Ｖが制御電圧５Ｖ以上になれば、更に高い電圧でスイッチング制御回路５２の電源電圧は電力供給を受けることになる。スイッチング制御回路５２の信号入力端子Ｎ２の電圧は、レギュレータ５４で決定される電圧以上に上昇することはなく制御部４２のリセット状態でスイッチング制御回路５２がオフするよう信号を維持することが可能であり、その結果、実施例１と同様に区間ａへ到達する。
【００９３】
又、画像形成装置の主電源がオフされて、駆動系電源電圧２４Ｖがオフされる場合であっても、制御部４２のリセット状態でスイッチング制御回路５２がオフするよう出力電圧設定信号の極性を設定しておけば、駆動系電源電圧２４Ｖが垂下の過渡的な状態であっても、昇圧トランス５１の１次側へ入力される電圧が徐々に垂下するために発生するＤＣ出力電庄オフが発生する以前に、駆動電圧２４Ｖの垂下の初期段階で、制御部４２は、スイッチング制御回路５２へオフ信号を送信することが可能である。
【００９４】
（実施例２の効果）
本実施例２によれば、実施例１の効果に加え、制御系電源５Ｖのダワンに対して、スイッチング制御回路５２をより安全に停止させることが可能となる。
【００９５】
（実施例２の変形例）
図９は、図８のＤＣ−ＤＣ電源装置の変形例を示す回路図である。
【００９６】
本変形例は、図８のＤＣ−ＤＣ電源装置に対して、レギュレータ５４の代わりに停止用ダイオード５５と同様、或いは、それ以上の順方向電庄を持つ信号源電圧用ダイオード６３を備えるように構成されている。制御部４２から指示される出力電圧設定信号は、制御電圧５Ｖから信号源電圧用ダイオード６３の順方向電圧分だけ低い電圧がプルアップ抵抗５７に与えられこれによって電圧が決定される。停止用ダイオード５５の順方向電圧によって降圧したスイッチング制御回路５２の電源入力端子Ｎ１の電圧よりも、更に低い電圧の信号によって制御されることになり、スイッチング素子５９を安全に停止させることが可能となる。
【００９７】
更に、制御部４２で作成される省電力モード信号をＮＰＮトランジスタ６４へ与え、高圧電源５０として出力が不要な場合には、低圧電源４１の駆動系電源２４Ｖをオフするのではなく、局部的に高圧電源５０の駆動電圧２４Ｖだけをオフして待機する省電力な電源装置の構成も考えられる。
【００９８】
（実施例１、２以外の他の変形例）
本発明は、上記実施例に限定されず、種々の利用形態や変形が可能である。この利用形態や変形例としては、例えば、次の（ａ）〜（ｆ）のようなものがある。
【００９９】
（ａ）  画像形成装置として、プリンタに適用した例を用いて説明したが、プリンタだけではなく複写機、ファクシミリ、ＭＦＰ等であっても利用可能である。
【０１００】
（ｂ）  制御部４２をＤＣ−ＤＣ電源装置の外部に接続し、相違する基板上に構成する例で説明したが制御部４２もスイッチング制御回路５２も同一の基板上に構成したＤＣ−ＤＣ電源装置であっても本発明の適用が可能である。
【０１０１】
（ｃ）  スイッチング制御回路５２を１つ備える例で説明したがスイッチング制御回路５２を複数備える装置の場合であっても、並列接続して利用可能である。
【０１０２】
（ｄ）  スイッチング制御回路５２の電源入力端子Ｎ１にバイパスコンデンサを図示しなかったが、相応のコンデンサを実装することは可能である。
【０１０３】
（ｅ）  制御系電庄５Ｖがオフした際に、駆動電圧２４Ｖを遮断するスイッチを、ＰＮＰトランジスタ６５で示したが、ＭＯＳトランジスタを利用しでも同様な効果が得られる。
【０１０４】
（ｆ）  レギュレータ５４の出力電圧に連動して駆動系電源２４Ｖを導通し、遮断するＰＮＰトランジスタ６５を動作させる例を示したが、ＰＮＰトランジスタ６５を制御部４２からの制御信号やリセット信号と接続し、任意のタイミングで駆動電圧２４Ｖを導通、遮断できるようにすることで安全性や省電力性を増すことも可能である。
【符号の説明】
【０１０５】
１０（１０Ｋ，１０Ｃ，１０Ｍ，１０Ｙ）
画像形成部
１１                感光体
１２                帯電ローラ
１３                現像ローラ
１４                供給ローラ
１５                トナーカートリッジ
１６                トナー残量検出手段
１７                現像ブレード
１８                露光器
１９                クリーニング装置
２０                カセットトレイ
２１                印刷媒体
２２                ホッピングローラ
２３、２４          駆動ローラ
２５                転写ベルト
２６                転写ローラ
２７                定着器
２７ａ              加熱ローラ
２７ｂ              圧接ローラ２７ｂ
４１                低圧電源
４２                制御部
５０                高圧電源
５１                昇圧トランス
５２                スイッチング制御回路
５３                出力調節回路
Ｐ１、Ｐ２、Ｐ３
Ｐ４Ｋ、Ｐ４Ｃ、
Ｐ４Ｍ、Ｐ４Ｙ      出力端子
５４                レギュレータ
５５                停止用ダイオード
５６                駆動用ダイオード
５７、５８          プルアップ抵抗
５９                スイッチング素子
６０                整流ダイオード
６１                コンデンサ
６２                出力検出部
６３                信号源電圧用ダイオード
６４                ＮＰＮ型トランジスタ
６５                ＰＮＰ型トランジスタ
６６，６７          電流制限抵抗
２４Ｖ              駆動系電源、駆動電圧
５Ｖ                制御系電源、制御電圧
Ｎ１                電源入力端子
Ｎ２                信号入力端子
【図１】
0005409267.tif 000002
【図２】
0005409267.tif 000003
【図３】
0005409267.tif 000004
【図４】
0005409267.tif 000005
【図５】
0005409267.tif 000006
【図６】
0005409267.tif 000007
【図７】
0005409267.tif 000008
【図８】
0005409267.tif 000009
【図９】
0005409267.tif 000010